(57)【特許請求の範囲】
【請求項１】
座席クッション（２）及び／又は座席背もたれ（３）に設けられた少なくとも一対の設定可能な側壁（４、４’）を備えて、側壁にはそれぞれに少なくとも一つの膨張可能な室（５）が側壁（４、４’）を調整するために設けられている乗物座席（１）において、膨張可能な室（５）の外部に且つ乗物の座席（１）に座る人に向いた側面には、その板状要素（６）が設けられ、板状要素（６）が回転可能に回転軸線（８）を中心に支承されていて、板状要素（６）が回転軸線（８）から間隔をあけて側壁（４、４’）の上方向に延びるフィンガー（９）を備えるフィンガー板として形成されていることを特徴とする乗物座席。
【請求項２】
二つの膨張可能な室（５ａ，５ｂ）が設定可能な側壁ごとに設けられていることを特徴とする請求項１に記載の乗物座席。
【請求項３】
両膨張可能な室（５ａ，５ｂ）がそれぞれに異なった一つの容積を有することを特徴とする請求項２に記載の乗物座席。
【請求項４】
乗物の座席（１）に座る人に向いた側面には膨張可能な室（５）の外部にポケット状収容部（７）が板状要素（６）を少なくとも部分的に収容させるために設けられていることを特徴とする請求項１乃至３のいずれか一項に記載の乗物座席。
【請求項５】
板状要素（６）が回転可能に回転軸線（８）を中心に支承されていて、この回転軸線（８）の領域には少なくとも一つのフィルム蝶番（１０）を介して連結されていることを特徴とする請求項１乃至４のいずれか一項に記載の乗物座席。
【請求項６】
板状要素（６）が少なくとも一つの膨張可能な室（５）と一緒に少なくとも一つの共通の固定点（１１）を介して固定されていることを特徴とする請求項１乃至５のいずれか一項に記載の乗物座席。
【請求項７】
板状要素（６）が合成樹脂から形成されていることを特徴とする請求項１乃至６のいずれか一項に記載の乗物座席。
【請求項８】
それぞれに対向位置する側壁（４、４’）が互いに独立に或いは共通に設定できることを特徴とする請求項１乃至７のいずれか一項に記載の乗物座席。
【請求項９】
請求項１乃至８のいずれか一項に記載の乗物座席（１）を備える自動車。
【発明の詳細な説明】
【技術分野】
【０００１】
この発明は、請求項１の上位概念により、座席クッション及び／又は座席背もたれに設けられた少なくとも一対の調整可能な側壁を備える乗物の座席、特に自動車の座席に関する。さらに、この発明は、この種の乗物の座席を備えた自動車に関する。
【背景技術】
【０００２】
この種の乗物の座席は、例えばドイツ特許第１０２００４０１４８８１号明細書（特許文献１）から知られていて、調整可能な側壁には少なくとも一つの室ユニットが柔軟壁により包囲された膨張可能な室を包含する。この場合に室ユニットは二つの互いに共通中心軸線を中心に折り畳み可能なウイングを有し、そのウイングが室ユニットの空らの状態には折り畳まれ、室ユニットの膨張された状態には膨張される。それにより室ユニットが乗物の座席にあとからの組立てを容易とする予め仕上げ可能なユニットとして形成され得る。  
【０００３】
ドイツ特許出願公開第１０２００６０３７５２１号明細書（特許文献２）から、乗物の座席の輪郭をその表面を横切る少なくとも大きさに自動的に調整するシステムが知られている。輪郭を変更するために、変更可能な表面が外部限定において流体充填可能で、それにより容積変更可能な気泡を有する。この場合に簡単で経済的な構成及び高い柔軟性を達成するために、実質的に互いに平行に少なくとも二つの気泡が設けられている。
【０００４】
ドイツ特許第４４４１３６６号明細書（特許文献３）から、容積変更可能な空気室から成り、後面に少なくとも広範な補強する支持部材を支持する背面支持体を備える自動車の座席が公知である。この場合に、支持部材は下に置かれていて乗物の横方向に延びている旋回軸線を有し、少なくとも一つの圧力変更可能な空気クッションの中間接続の下で後接続された支持壁を有する。少なくとも一つの中間接続された空気クッションにおける容積変更可能の際に支持部材は背もたれの胴体当接面の勾配変更の方向に旋回される。
【０００５】
最後に欧州特許第０２２９７３７号明細書（特許文献４）から、膨張可能な横座席側面を備える自動車の座席が知られている。この場合に、膨張可能な袋がフィルム蝶番を介して互いに旋回可能に連結されている二つのフラップの間に設けられていて、袋の膨張がフィルム蝶番を介して互いに連結されている両板の相互旋回を奏する。
【先行技術文献】
【特許文献】
【０００６】
【特許文献１】ドイツ特許第１０２００４０１４８８１号明細書
【特許文献２】ドイツ特許出願公開第１０２００６０３７５２１号明細書
【特許文献３】ドイツ特許第４４４１３６６号明細書
【特許文献４】欧州特許第０２２９７３７号明細書
【発明の概要】
【発明が解決しようとする課題】
【０００７】
この発明の課題は、この種の乗物の座席のために、特に座席の快適さが向上される改良された実施態様を提供することである。
【課題を解決するための手段】
【０００８】
この課題は、この発明により独立請求項の対象によって解決される。好ましい実施態様は従属請求項の対象である。
【０００９】
この発明は、膨張可能な室に基づいて調整可能な側壁を備える乗物の座席の際に膨張可能な室の外部に乗物の座席に座る人に向いた側面に室が板状要素を備えていて、その板状要素が室の膨張の際に圧力分布機能に一致して、それにより側面が平らに乗物の座席に座る人の上脚に或いは横背面領域に当接し、それによりこの人が特に一定走行操縦の際に明確に改良された側面を与える一般的思想に基づいている。最高の場合に、特に同じ尺度で且つ乗物の座席の対向位置する側面によって乗物の座席に座る人の上脚或いは背面領域のＣ状包囲が達成されて、そのＣ状包囲は著しく改良された側面支えに基づいて明らかに向上された走行安楽を推奨させる。板状要素のこの発明による企図は実質的に座席の快適さを上昇させる、というのは、側壁の平らな安定化が行われ、同乗者に接触の際に不快な圧力地域が回避され得るからである。
【００１０】
この発明の解決手段の好ましい再現の際に、二つの膨張可能な室が調整可能な側壁ごとに設けられている。さらに、二つの膨張可能な室の際には、この、例えばそれぞれに異なった容積を有することを考慮できるので、微調整のために、例えば小さい容積を備える室が換気されるか、或いは排気される一方、側壁を迅速に調整するために、比較大きい室が換気されるか、或いは排気される。特にそれぞれに異なった容積を備える少なくとも二つの膨張可能な室の企図は、さらに、乗物の座席に座る人の側面部分の改良された包囲を可能とし、それにより側面支えがさらに改良される。さらに、少なくとも二つの室を備えて余分なシステムが創作されるので、一方の室の省略の際に他方の室は、十分な側面支えが保証され得る限りに側壁を調整する状態に問題ない。
【００１１】
この発明の解決手段の別の好ましい実施態様では、吹出し可能な室の外に乗物の座席に座る人に向いた側面には板状要素の少なくとも部分的に収容するポケットが設けられている。これにより板状要素の膨張可能な室に対して特別に簡単な位置決めが奏する、というのは、板状要素が簡単に膨張可能な室の外面に配置されて特にポケット状に形成される収容部に挿入されなければならないからである。この種の特にポケット状収容部が吹出し可能な室を含める板状要素の正確な位置決めが長時間にわたり保証し、それは特に例えば自動車の座席の側壁のような高く要求された領域では決定的利点であるからである。さらに、この種の収容部が費用を安価に且つ簡単に製造され、さらに、板状要素が他の形式に膨張可能な室に固定されなければならなかったので、必要であった固定手段の必要性を減少させる。
【００１２】
目的に適って、板状要素が回転可能に回転軸線を中心に支承されてこの回転軸線の領域において少なくとも一つのフィルム蝶番を介して結合されている。この種のフィルム蝶番は板状要素の通過し易い回転運動を与えて、さらに、板状要素を座席構造に固定する状態にある。この場合に、この領域において追加的に膨張可能な室の一つが固定されていることが紹介できる。他の蝶番タイプと比較して、フィルム蝶番が出来るだけ費用を安価に製造でき、特に単に僅かな回転角度の際に、フィルム蝶番がここでそうであるように、出来るだけ高い寿命を有する。
【００１３】
この発明の別の重要な特徴と利点は、従属請求項、図面と図面に基づく付属図の説明から明らかになる。
【００１４】
前記や次の説明の特徴は、それぞれに上げられた組合せにばかりではなく、むしろ、この発明の範囲を放棄せずに他の組合せ或いは単独に使用できる。
【００１５】
この発明の好ましい実施例は、図面に図示されていて、次の詳細な説明に詳細に説明されて、同じ符号が同じ或いは同様な或いは機能の同じ構成部材に付けられている。
【図面の簡単な説明】
【００１６】
【図１】この発明による乗物の座席の座席クッション領域を概略的に示す。
【図２】この発明により配置された板状要素を備える膨張可能な室を分解状態を概略的に示す。
【図３】図２において見た方向Ｂからアンサンブルの正面図及び切断平面Ａ−Ａに沿う断面表示を概略的に示す。
【図４】この発明による側壁を通して、けれども、他の実施態様である別の断面表示を概略的に示す。
【発明を実施するための形態】
【００１７】
以下に、この発明の実施の形態について、詳細に説明する。  
【実施例】
【００１８】
図１に一致して、この発明による乗物の座席１は座席クッション２及びこのクッションに接続して且つ通常にその勾配を含めて調整できる座席背もたれ３とを有する。この場合に、座席背もたれ３は単に点線によって示される一方、乗物の座席１の座席クッション２が本来のクッションなしに図示されている。座席クッション２には、一対の調整可能な側壁４と４’が設けられていて、乗物の座席１に座る人の側面支えを改良させるために、調整され、特に膨張され得る。無論、この種の調整可能な或いは設定可能な側壁４が座席背もたれ３の領域にも配置され得る。
【００１９】
側壁４と４’を調整するために、側壁ごとに少なくとも一つの膨張可能な室５が設けられていて、その膨張可能な室は適切に換気され得るか、或いは排気され得る。この種の膨張可能な室５の可能な実施態様は、例えば図２に示されている。それぞれに膨張可能な室５の外部に且つ乗物の座席１に座る人に向いた側面には、板状要素６或いは６’が設けられていて、膨張可能な室５或いは５’にもたらせた圧力を比較均衡させるために用いられる。室５或いは５’の膨張が座席クッション２の座面の横限定を奏し、それによりそのクッションの縁はわせ（Berandung)と乗物の座席１に座る人の改良された側面支えとなる。この場合に膨張可能な室５の膨張が特に段階的に行われる。
【００２０】
図３と４を考慮すると、そこに示された実施態様では、二つの膨張可能な室５ａと５ｂが調整可能な側壁４ごとに設けられていることが認識できる。これにより、囲み室或いは包囲が二つの膨張可能な室５ａと５ｂを備えた側壁４によって行われるので、乗物の座席１に座る人の側面支えがさらに改良される。この場合に両膨張可能な室５ａと５ｂが一つのそれぞれに異なった容積或いは同じ容積を有する。示された例では、両室５ａと５ｂは、両室５ａ，５ｂの空気容積が互いに連通するように互いに接続されている。
【００２１】
付属の膨張可能な室５に板状要素６を簡略化された位置決めするために、膨張可能な室５の外部に、図４によると、膨張可能な室５ｂの外部に乗物の座席１に座る人に向いた側面には、ポケット７或いはポケット状収容部７が設けられていて、板状要素６を少なくとも部分的に収容させるために用いられる。これにより特に膨張可能な室５に板状要素６の組立てが簡略化される、というのは、この組立てが今まで通常に費用のかかるように、固定されず、むしろ、簡単にポケット状収容部７に差し込まれ得る。
【００２２】
この場合に一般に、板状要素６は、これが特に図２や３に示されるように、回転軸線８から離れたフィンガー９を備えるフィンガー板として形成され得る。この場合に回転軸線８が軸を意味し、その軸を中心に板状要素６が少なくとも一つの室５の換気或いは排気の際に回転されるか、或いは旋回される。この場合に回転運動がフィルム蝶番１０によって（図３断面Ａ−Ａ）奏されて、板状要素６が追加的にフィルム蝶番１０の領域において座席構造、例えば座席枠に結合され得る。この種のフィルム蝶番１０は一方で出来るだけ安価に製造され、他方ではフィルム蝶番１０により克服する回転角度に限定される限りに、これがこの使用の場合のように、極めて長い寿命を有する。
【００２３】
特に図３の断面図Ａ−Ａに採用するように、少なくとも一つの膨張可能な室５、ここで室５ａが板状要素６と一緒に少なくとも一つの共通の固定点１１を介して詳細に示されていない座席構造に、例えばリベットによって固定され得る。
【００２４】
一般に板状要素６が特に合成樹脂から形成されていて、それにより一方では安価に製造でき、他方では造形を含めて出来るだけ柔軟である。両対向位置する側壁４と４’が共通に設定できるので、これら側壁が通常には圧力連結部１２を介して（図１を参照）互いに連結されている。しかし、それぞれに対向位置する側壁４と４’が互いに独立に設定されることが紹介できる。
【００２５】
この発明による板状要素６によって平らな圧力分布が達成されて、それは一方では快適な座席圧力を奏し、他方では乗物の座席１に座る人の改良された側面支えを提供する。同時にこれにより囲み室領域が例えば乗物の座席１に座る人の背面或いは上脚に対して上昇され、それにより同様に明らかに改良された側面支えが達成され得る。さらに、少なくとも一つの膨張可能な室５の外部に設けられた収容部７によって、膨張可能な側壁４と４’の組立てが明らかに簡略化されて、それにより安価に実現され得る。
【符号の説明】
【００２６】
１．．．．．座席
２．．．．．座席クッション
３．．．．．座席背もたれ
４，４’．．．側壁
５，５ａ，５ｂ．．．膨張可能な室
６．．．．．板状要素
７．．．．．収容部
８．．．．．回転軸線
９．．．．．フィンガー
１０．．．．フィルム蝶番
１１．．．．固定点
１２．．．．圧力連結部
【図１】
0005107305.tif 000002
【図２】
0005107305.tif 000003
【図３】
0005107305.tif 000004
【図４】
0005107305.tif 000005